(57)【要約】【課題】本発明は非常ペンダントの通報データを無線及び回線を通じてセンター側と通信を行うシステムにおいて、特に無線機親機と非常ペンダントの現場での設置の対処方法を課題とするものである。【解決手段】無線機親機７６に非常ペンダント７２からの受信レベルを判定する親機受信レベル判定手段７７を設けることにより、無線機親機７６と非常ペンダント７２の通信状態の良否を非常ペンダント７２を見ているだけで可能となり、設置エリアの選定が容易にしかも一人で対応することができる。【選択図】図１
2005346533.tif 000002
【特許請求の範囲】
【請求項１】
非常ペンダントと、前記非常ペンダントからの通報データを収集するセンター側装置と、前記非常ペンダントの通報データを収集すべく無線回線を介して前記非常ペンダントと通信を行うと共に前記センター側装置と回線を通じて通信を行う無線機親機とで構成される無線セキュリティシステムにおいて、前記非常ペンダントは、外部からの信号により無線電文を送信し送信した電文に対する応答電文を受信する送受信手段と、前記送受信手段が受信した応答電文を解析し解析したデータにより報知する報知手段とを有し、前記無線機親機は、前記非常ペンダントからの受信データの受信レベルを判定する親機受信レベル判定手段と、前記非常ペンダントからの電文を受信し前記親機受信レベル判定手段で取得した受信レベルを送信する親機送受信手段とを有する無線セキュリティシステム。
【請求項２】
非常ペンダントは、前記無線機親機からの受信電文の受信レベルを判定するペンダント受信レベル判定手段を有する請求項１記載の無線セキュリティシステム。
【請求項３】
非常ペンダントと、前記非常ペンダントからの通報データを収集するセンター側装置と、前記非常ペンダントの通報データを収集すべく無線回線を介して前記非常ペンダントと通信を行うと共に前記センター側装置と回線を通じて通信を行う無線機親機とで構成される無線セキュリティシステムにおいて、前記非常ペンダントは、無線電文を送信し送信した電文に対する応答電文を受信する送受信手段と、前記送受信手段に送信開始の信号を出力しその応答電文を表示させる設定確認装置とを有し、前記無線機親機は、非常ペンダントからの受信データの受信レベルを判定する親機受信レベル判定手段と、非常ペンダントからの電文を受信し前記親機受信レベル判定手段で取得したデータを送信する親機送受信手段を有する無線セキュリティシステム。
【請求項４】
請求項１〜３のいずれか１項記載の無線セキュリティシステムの手段の少なくとも一部としてマイコンなどのコンピュータを機能させるためのプログラム。
【発明の詳細な説明】
【技術分野】
【０００１】
本発明は、非常ペンダントからの通報データを無線及び回線を通じてセンター側と通信を行う無線セキュリティシステムに関するもので、特に無線機親機と非常ペンダントの設置時の動作に関するものである。
【背景技術】
【０００２】
従来、この種のワイヤレスセキュリティシステムの非常ペンダントは送信機のみを搭載し非常時に無線送信のみを行っている（例えば、特許文献１参照）。
【０００３】
図４は、特許文献１に記載された従来のワイヤレスセキュリティシステムを示すものである。図４に示すように、非常ペンダントである検知情報送信部１は検知手段１１と、送信手段１２から構成されている。
【特許文献１】特開２００１−３４４６８２号公報
【発明の開示】
【発明が解決しようとする課題】
【０００４】
しかしながら前記従来の構成では、非常警報受信機２と検知情報送信部１を設置時最初に非常警報受信機２と検知情報送信部１を縁組させその後、非常警報受信機２を住宅内のリビングの壁等に取り付け、各部屋から検知情報送信部１からの無線送信を行い非常警報受信機２で正常に受信したかを確認する必要があり二人作業もしくはリビングと各部屋を往復して無線を正常に受信しているかを確認しなくてはならない課題を有していた。
【０００５】
本発明は、前記従来の課題を解決するもので、初期施工時の無線通信確認を容易とした無線セキュリティシステムを提供することを目的とする。
【課題を解決するための手段】
【０００６】
前記従来の課題を解決するために、本発明の無線セキュリティシステムは、無線機親機に、非常ペンダントからの受信レベルを判定する親機受信レベル判定手段を設けることにより、非常ペンダントは外部からの信号で非常ペンダントから送信を開始し、無線機親機が受信した受信レベルをデータに付加し非常ペンダントに送信し、そのデータの受信レベルが規定値以上または以下により通信状態の良否を非常ペンダント側で判別可能としたものである。これによって、設置後、無線機親機と非常ペンダントを利用して無線通信試験が可能になるため、設置場所の確認が容易にしかも一人で対応することが可能となる。
【発明の効果】
【０００７】
本発明の無線セキュリティシステムは、無線の到達範囲、無線の受信感度等の無線設置環境を容易にしかも一人で確認することができる。
【発明を実施するための最良の形態】
【０００８】
第１の発明は、非常ペンダントと、前記非常ペンダントからの通報データを収集するセンター側装置と、前記非常ペンダントの通報データを収集すべく無線回線を介して前記非常ペンダントと通信を行うと共に前記センター側装置と回線を通じて通信を行う無線機親機とで構成される無線セキュリティシステムにおいて、前記非常ペンダントは、外部からの信号により無線電文を送信し送信した電文に対する応答電文を受信する送受信手段と、前記送受信手段が受信した応答電文を解析し解析したデータにより報知する報知手段とを有し、前記無線機親機は、前記非常ペンダントからの受信データの受信レベルを判定する親機受信レベル判定手段と、前記非常ペンダントからの電文を受信し前記親機受信レベル判定手段で取得した受信レベルを送信する親機送受信手段とを有するものである。
【０００９】
そして、無線機親機の親機受信レベル判定手段によって測定したデータを非常ペンダントからの応答電文として送信し、受信した非常ペンダントはその測定データにより報知手段の内容を変えて無線通信の電波状態の良否を知らせるため、無線機親機と非常ペンダントの通信可能エリアかどうかの判定を簡単に確定することができる。
【００１０】
第２の発明は、無線機親機からの受信電文の受信レベルを判定する子機受信レベル判定手段を有するものである。
【００１１】
そして、無線機親機の親機受信レベル判定手段によって非常ペンダントから送信された受信レベルに加え非常ペンダントの子機受信レベル判定手段によって測定した無線機親機の受信レベルも確認するが可能となり、相手が送信した電波の無線機親機での受信レベルも非常ペンダントでの受信レベルも確認することができ、より高精度な無線機親機と非常ペンダントの通信可能エリアの判定を行うことができる。
【００１２】
第３の発明は、非常ペンダントが有した外部信号検出手段に変えて非常ペンダントと無線機親機の受信レベルを共に確認できる設定確認装置を有するものである。
【００１３】
そして、非常ペンダントの送信した送信データを無線機親機が受信した受信レベルと、無線機親機が送信した送信データを非常ペンダントが受信した受信レベルを数値で認識することが可能となり、より高精度な無線機親機と非常ペンダントの通信可能エリアの判定を行うことができる。
【００１４】
第４の発明は、請求項１〜３のいずれか１項記載の無線セキュリティシステムの手段の少なくとも一部としてマイコンなどのコンピュータを機能させるためのプログラムである。そして、プログラムであるので電気・情報機器、コンピュータ、サーバー等のハードリソースを協働させて本発明の無線セキュリティシステムの少なくとも一部を容易に実現することができる。また記録媒体に記録したり通信回線を用いてプログラムを配信したりすることでプログラムの配布・更新やそのインストール作業が簡単にできる。
【００１５】
（実施の形態１）
図１は本発明の実施例１の無線セキュリティシステムを示すブロック図である。
【００１６】
図１において、７２は非常ペンダント、７６は公衆回線等との通信を行うと共に非常ペンダント７２と無線通信を行う無線機親機である。
【００１７】
非常ペンダント７２において、７３ａは外部からの信号を検出する外部信号検出手段である。７５ａは非常ペンダント７２に内蔵された外部信号検出手段７３ａが検出した信号により無線電文を送信し送信した電文に対する応答電文を受信する送受信手段７５ａである。７４ａは非常ペンダント７２の送受信手段７５ａが受信した応答電文を解析し解析したデータにより報知する報知手段である。
【００１８】
無線機親機７６において、７７は非常ペンダント７２からの受信データの受信レベルを判定する親機受信レベル判定手段である。無線機親機７６に内蔵された７５ｂは非常ペンダント７２からの電文を受信し親機受信レベル判定手段７７で取得した受信レベルを送信する送受信手段７５ｂである。７３ｂは外部からの信号を検出する外部信号検出手段である。７９は電話回線等の回線である。７１０は回線７９を通じて無線機親機７６と通信を行い非常ペンダント７２の通報データの監視を行うセンター側装置である。
【００１９】
図１において、センター側装置７１０は回線７９及び、無線機親機７６を通じて非常ペンダント７２からの緊急な通報データを受信する。ここでの回線７９は有線電話回線やＰＨＳやＰＤＣ、ＰＤＣＰ等の無線電話回線でもよいし、システム占有の専用回線でもよい。非常ペンダント７２は非常ボタンが押下されると非常事態が発生したと判断し内蔵された送受信手段７５ａにより無線機親機７６へ無線信号を送信する。無線機親機７６は内蔵された送受信手段７５ｂにより非常ペンダント７２からの無線信号を受信するとその内容を回線９を通じてセンター側装置７１０へ送る。
【００２０】
しかし、実際前述の無線通信を行う場合は、あらかじめ設置時に無線機親機７６と非常ペンダント７２の縁組みを行う必要がある。縁組みの方法は無線機親機７６と非常ペンダント７２を近づけ無線機親機７６に内蔵された外部信号検出手段７３ｂを作動させる。例えば外部信号検出手段７３ｂはリードＳＷ等を内蔵させた構造でマグネット等を近付けることで外部からの信号を検出させる。無線機親機７６は外部からの信号の検出により縁組みを行うため無線機親機７６に内蔵された送受信手段５ｂを非常ペンダント７２の無線データを受信するための受信待ち状態にする。
【００２１】
その後所定期間（例えば約２秒）以内に非常ペンダント７２に内蔵された外部信号検出手段７３ａを作動させる。非常ペンダント７２に内蔵された送受信手段７５ａは外部からの信号検出により非常ペンダント７２の情報を無線データとして出力し、出力し終わると今度は無線機親機７６の無線データを受信するため受信待ち状態に入る。無線機親機７６は非常ペンダント７２からの無線データを受信し通信時に使う相手識別のための非常ペンダント７２のアドレスを子機情報として記憶する。
【００２２】
次に無線機親機７６の情報（相手識別のための無線機親機のアドレス）を親機情報として送信すると共に無線機親機７６側の縁組みが終了したことを通知するため報知手段７４ｂを作動させる。報知手段はＬＥＤやＬＣＤで認識させたりブザー等の音で認識させても良い。
【００２３】
次に非常ペンダント７２は内蔵された送受信手段７５ａにより無線機親機７６からの無線データを受信し親機情報（相手識別のための無線機親機のアドレス）として記憶すると共に非常ペンダント７２側の縁組みが終了したことを通知するため非常ペンダント７２に内蔵された報知手段７４ａを作動させる。これにより無線機親機７６と非常ペンダント７２の縁組みが成立しことになる。
【００２４】
その後、無線機親機７６を実際に設置する場所に取り付ける必要がある。例えば無線機親機７６は電話回線９の近くである家のリビングの壁等に取り付けることとなる。取り付けた後は各部屋や庭などから非常ペンダント７２を作動させて無線機親機７６が正常に受信するかの通信確認を行う。
【００２５】
しかし、無線機親機７６と非常ペンダント７２が正常に無線通信を行うか確認するためには、各部屋や庭で非常ペンダントを作動させその後、リビングに取り付けた無線機親機７６の報知手段７４ｂが作動したかを確認するためリビングと各部屋を往復する必要がある。
【００２６】
そこで無線機親機７６と非常ペンダント７２を縁組みさせた後、設置しようと考えている場所に無線機親機７６を仮止めしその状態で無線の受信レベルを測定する。
【００２７】
方法は非常ペンダント７２に既に内蔵されている外部信号検出手段７３ａを使って行う。これは縁組み時の作動と区別するため外部信号検出手段７３ａの検出時間を例えば縁組み時の送信が１秒以上、設置後の受信感度測定のための送信は３秒以上検出した場合というように区別しておく。
【００２８】
非常ペンダント７２は外部からの所定信号の検出により無線機親機７６に受信レベル確認要求の無線電文を非常ペンダント７２に内蔵された送受信手段７５ａを用いて出力し、出力し終わると非常ペンダント７２に内蔵された送受信手段７５ａは無線機親機７６の無線データを受信するため受信待ち状態に入る。
【００２９】
無線機親機７６は無線機親機７６に内蔵された送受信手段７５ｂにより非常ペンダント７２からの無線データを受信し受信レベル確認要求だと判断すると親機受信レベル判定手段７７でそのとき受信した無線の受信レベルをもらう。この時、親機受信レベル判定手段７７は無線データを最後まで受信した後で受信レベル確認要求だと判断しても既に無線データは出力されていないため全ての無線受信毎に無線の受信レベルを格納しておく構成のほうが良い。
【００３０】
無線機親機７６に内蔵された送受信手段７５ｂは親機受信レベル判定手段７７よりもらった、非常ペンダント７２から送信され無線機親機７６で実際に受信した受信レベルを付けて非常ペンダント７２に対して応答電文を送る。
【００３１】
次に非常ペンダント７２は内蔵された送受信手段７５ａにより無線機親機７６からの受信レベルが付加された無線データを受信し所定値以上であれば非常ペンダント７２と無線機親機７６の電波状態は正常であるとし非常ペンダント７２に内蔵された報知手段７４ｂを作動させる。
【００３２】
このとき正常と異常表示を区別して出力させる例えば報知手段がＬＥＤやブザーであれば正常だった場合は５秒以上連続作動させ、異常であった場合は短い間隔で作動させる。この作業を各部屋及び庭などで行い確認する毎に無線機親機７６の報知手段７４ｂでの確認が不要となるため簡単に家の周辺で正常に無線通信ができるかを確認できる。
【００３３】
ここで受信レベルの確認は外部からの信号により無線機親機７６を起点に受信レベルの確認を行う構成でも良い。
【００３４】
以上のように、無線機親機７６の設置時に非常ペンダント７２の実際の無線データを送受信するレベルが確認できるため、無線機親機７６と非常ペンダント７２の設置作業を円滑に行うことができ、かつシステムの無線データの送受信動作を高信頼性をもって実現することができる。
【００３５】
（実施の形態２）
図２は本発明の実施例２の無線セキュリティシステムを示すブロック図である。図２において、図１と同じ機能を有するものは同じ名称、同じ符号として説明を省略する。
【００３６】
７１２は無線機親機７６に内蔵された送受信手段７５ｂより送信された無線データの受信レベルを測定する子機受信レベル判定手段である。
【００３７】
図２において、受信レベル確認のための手順は実施例１の場合と同様である。ここで非常ペンダント７２は内蔵された送受信手段７５ａにより無線機親機７６からの受信レベルが付加された無線データを受信し、その受信レベルが所定値以上で、かつ、非常ペンダント７２が受信した受信レベルを子機受信レベル判定手段７１２で判断しその受信レベルが所定値以上であれば非常ペンダント７２と無線機親機７６の電波状態は共に正常であるとし非常ペンダント７２に内蔵された報知手段４を作動させる。
【００３８】
このとき正常と異常表示を区別して出力させる。例えば、報知手段がＬＥＤやブザーであれば正常だった場合は５秒以上連続作動させる。異常であった場合は短い間隔で作動させる。従って報知手段からの信号が正常信号であった場合は現在のエリアが正常通信が可能な範囲であることが判明する。ここで受信レベルの確認は外部からの信号により無線機親機６を起点に受信レベルの確認を行う構成でも良い。
【００３９】
以上のように、非常ペンダントに子機受信レベル判定手段を内蔵することでより無線データの送受信を高信頼性をもって実現することができる。
【００４０】
（実施の形態３）
図３は本発明の実施例３の無線セキュリティシステムを示すブロック図である。図３において、図１と同じ機能を有するものは同じ名称、同じ符号として説明を省略する。
【００４１】
７１１は非常ペンダントに接続して無線機親機と無線機子機の設置エリアを判定するための確認試験を開始し結果を報知させる設定確認装置である。
【００４２】
図３において、受信レベル確認手順は実施例２の場合と同様である。ここで無線機親機７６と非常ペンダント７２の受信レベルの確認を行うための外部からの開始信号を非常ペンダント７２に内蔵された外部信号検出手段７３ａを使用するのではなく非常ペンダント７２に設定確認装置７１１を接続して受信レベル確認を開始する。
【００４３】
その後、非常ペンダント７２は内蔵された送受信手段７５ａにより無線機親機７６からの受信レベルが付加された無線データと非常ペンダント７２が受信した受信レベルを設定確認装置７１１に出力する。そのデータを設定確認装置７１１に内蔵したＬＣＤに表示させることで受信レベルの相対値が認識できるためより精度の高い受信レベルの確認が可能となる。
【００４４】
ここで設定確認装置７１１は無線機親機６へ接続し無線機親機を起点に受信レベルの確認を行う構成でも良いし、無線機親機６へ内蔵した構成でも良い。
【００４５】
以上のように、設定確認装置を接続することで無線機親機と無線機子機の無線データを送受信するレベルの相対値を確認できるため、より無線機親機と無線機子機の設置作業を円滑に行うことができ、かつシステムの無線データの送受信動作を高信頼性をもって実現することができる。
【００４６】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【００４７】
また、本実施の形態は非常ペンダントで説明したが、ペンダントに限らず非常通報装置であればよい。
【産業上の利用可能性】
【００４８】
以上のように、本発明の無線セキュリティシステムは、無線の到達範囲、無線の受信感度等の無線設置環境を容易にしかも一人で確認することができる。これは無線セキュリティシステムに限らず無線通信装置にも利用できる。
【図面の簡単な説明】
【００４９】
【図１】本発明の実施例１における無線セキュリティシステムのブロック図
【図２】本発明の実施例２における無線セキュリティシステムのブロック図
【図３】本発明の実施例３における無線セキュリティシステムのブロック図
【図４】従来のワイヤレスセキュリティシステムのブロック図
【符号の説明】
【００５０】
１、７２  非常ペンダント
２、７６  無線機親機
４、７１０  センター側装置
５、７９  電話回線等の回線
７３  外部信号検出手段
７４  報知手段
７５  送受信手段
７７  親機受信レベル判定手段
７１１  設定確認装置
７１２  子機受信レベル判定手段
【図１】
2005346533.tif 000003
【図２】
2005346533.tif 000004
【図３】
2005346533.tif 000005
【図４】
2005346533.tif 000006